(57)【要約】      （修正有）【課題】悪臭を遮断し安価にて排水接続管を提供する。【解決手段】上部本体１７と下部本体１８を接続することで排水接続管本体となり本体１の下部１４側を住宅の床下にある住宅側排水管に接続し、本体１上部１３側には流し台などの排水ホースを誘導突起７にはめ込み接続、接続した排水ホースはずれることなく安定して排水を行い、本体１内部に形成してある下降する排水流路２に、排水を利用して悪臭を遮断するため排水流路２内に水が滞留する滞留部１１を形成する上昇流路３となり、再下降流路５となることで滞留部１１から再下降流路５の間に水が溜まることで住宅側排水管から臭う悪臭を遮断する。【選択図】図１
2014051872.tif 000002
【特許請求の範囲】
【請求項１】
排水接続管本体において、本体は上部本体と下部本体を接続し排水接続管本体となり接続された本体内部には流体が流れる排水流路が形成されており、上部側には異径の配水管が挿入されても配管を誘導する突起が形成され下部に向い排水流路が形成され本体中心部でサイホン作用を有する排水流路が形成されており、上部からの流路は水を滞留させる滞留部を形成するため中心部付近で下降流路から上昇流路に転ずるため鋭角に折返し流路の転換部分には水が滞留する滞留部が形成され、転換した流路は上昇し、滞留部で鋭角に折返した部分より上部の位置で再度折返し再下降流路となり、排水管に接続できることを特徴としている。
【請求項２】
請求項１において、排水接続管本体内部の上部側に設置されている突起はねじではめ込むことができ、排水接続管本体上部に接続する同径配管はソケットを使用し接続、またホースや配管を本体の突起部分を入れ、誘導することで異径の配管やホースのずれや片寄を防ぎ、突起中段には配管やホースの侵入を止めるため突起から横に二段の棒状の突起が出ており、上部一段目の突起は柔らかく容易にホースが抜けないようホース、配管を止め、二段目の突起は堅く侵入を止めることを特徴としている。
【請求項３】
請求項１において排水接続管中央部付近にあるサイホン作用を有する流路は排水管本体の形状を円柱の状態で、他の排水管と同形状で接続可能としていることを特徴としている。
【請求項４】
請求項１から請求項３において、排水接続管本体は本体中央部付近に形成されている水の滞留部に水が溜ることで悪臭を滞留部の水で遮断することを特徴としている。
【請求項５】
請求項１から請求項４のいずれか一項において、上部本体と下部本体は別々に形成されているが、上部本体と下部本体の向きが間違わないよう接続できることで一体となり排水接続管本体の排水流路を形成できることを特徴としている。
【請求項６】
請求項６に記載の発明は、請求項１から請求項５のいずれか一項において、円柱状で、本体内部にサイホン作用を有する形状で悪臭を遮断するよう形成され、上部に接続する配管やホースの必要以上の侵入や片寄やずれを止め、容易に抜けないことを特徴としている。
【発明の詳細な説明】
【技術分野】
【０００１】  本発明は排水接続管に関する。【０００２】  現在水回りにある洗面所やトイレまたはお風呂などの本体内には、下水道管から臭う悪臭を本体内にある排水管のサイホン作用を生じさせるために水を溜める滞留部を形成し溜まった水が悪臭を遮断しているが、様々な商品本体内部に貯留部を設置することは部品点数を増やし排水構造を複雑にしており、製造コストの削減には至らない、また破損や水漏れが起こった場合、部品を交換しなければならない。
【先行技術文献】
【特許文献】
【特許文献】特開２００８−２６６９４６号広報
【発明の概要】
【発明が解決しようとする課題】
【０００３】  本発明は上記従来の事情を鑑みてなされたものであり、容易かつ確実にサイホン作用を生じ排水させ、必要最低限の水量を滞留させることで悪臭を遮断でき、各メーカーの排水装置を無くすことで、商品の部品点数を減らしコスト削減を可能にし、悪臭を遮断することができる。
【課題を解決するための手段】
【０００４】  上記問題点を解決するために請求項１に記載の発明は、上部本体と下部本体を接続することで排水接続管本体となり、本体内部に流体が流れる排水流路が形成されており上部から本体中央付近まで流路は下降し水の滞留部分を形成するため流路は鋭角に折返し上昇し、滞留部分が形成され、上昇する流路は滞留部で鋭角に折返した流路の上部側より上位位置で下降流路となり排水接続管本体の下部となり、他の排水管に接続できることを要旨としている。【０００５】  請求項２に記載の発明は、排水接続管本体上部に接続する配管やホースを誘導するためのねじ式で取外し可能な突起部分が設置されており、突起部分に配管、ホースを入れ二段目の止め棒まで挿入することで、異径の配管が排水接続管本体流路奥まで入り込むことや片寄、ずれを防ぐことを要旨としている。【０００６】  請求項３に記載の発明は、排水接続管本体内部にサイホン作用を有する流路が形成されているが、他に接続する配管径と同様の円柱であることを要旨としている。【０００７】  請求項４に記載の発明は、排水接続管本体内部中央部付近で水の滞留部が形成されていることで、この滞留部分に水が溜まり本体下部から臭う悪臭を滞留する水で遮断することを要旨としている。【０００８】  請求項５に記載の発明は、上部本体と下部本体に分かれているが接続する際、向きを間違わないよう差込側には凸部が形成され、受入側には凸部を誘導する溝が形成されていることで容易間違わずに接続でき、排水接続管本体となることを要旨としている。【０００９】  請求項６に記載の発明は、請求項１から請求項５のいずれか一項において、上部本体と下部本体を接続することで円柱状の排水接続管本体となり本体内部にはサイホン作用を有する形状で悪臭を遮断するよう排水流路が形成され、上部に接続する配管やホースの必要以上の侵入や片寄やずれを止め、容易に抜けないことを要旨としている。
【発明の効果】
【００１０】  本発明は排水接続管本体内部にサイホン作用を発生させる構造を有していることで、各メーカーの流し台、洗面台、トイレ、お風呂本体内部にあるサイホン作用部分を簡素化することが可能となり、部品点数削減で製造コストを削減、また、サイホン作用を有しない洗濯機などの排水管を直接排水管に接続する物に対しても排水接続管本体を繋げることで滞留部に溜まっている水により悪臭を遮断でき、本体を小型化することで床下設置を実現することが可能である。
【図面の簡単な説明】
【００１１】
【図１】図２のＡ−Ａ縦断面図。
【図２】排水接続管本体の側面図。
【図３】図５に示す一部省略縦断面図。
【図４】排水接続管本体の正面図。
【図５】上部本体接続側の側面図
【図６】下部本体接続側の側面図
【図７】この発明の別の実施形態を示す一部省略正面図。
【発明を実施するための形態】
【００１２】  以下、本発明を具体化した排水接続管本体の実施形態を図１〜図７に従って説明する。
【００１３】  図１に示すように本体１は上部本体１７と下部本体１８を接続することで本体１となり、内部には上部１３から下部１４に向かって排水流路２が形成されている。
【００１４】  排水流路２には下降中に水をためる滞留部１１を形成するため本体１中央部付近で下降流路３が上昇流路４に切替わる部分があり、切替わる部分は鋭角に折返しているが、上部２側の折返し部分を上昇折返し部分６とし、下部１４側は滞留部１１となる。
【００１５】  下降流路３が上昇流路４に切替り排水流路２は上昇するが、上昇流路４は上昇折返し部分６より少し上位の位置で再び再下降流路５となり、再下降する折返し部分の下部１４側を下降折返し部６ａとし、再下降流路５となり排水流路２が形成されている。
【００１６】  上昇流路４には二つの折返し部分ができ、下降折返し部６ａは上昇折返し部６より高い位置で下降折返し部６ａが形成されており、下降する排水流路２では唯一上昇流路４ができることで、この上昇流路４ないには水が滞留する滞留部１１ができここに溜まる水は、下降折返し部６ａの部分が滞留水水面１２となり滞留水水面１２より下に上昇折返し部６が水没しているため、住宅側排水管１６から臭う悪臭を遮断する。
【００１７】  さらに水がたまる滞留部１１と上昇流路４にはサイホン作用ができる。
【００１８】  図２、図１に示すように、本体１の内部には取外し可能な誘導突起７が設置でき、誘導突起７には横に二段のストッパーが形成されており、上部１３側の上段ストッパーには安定ストッパー９が設置されており、下段にはストッパー８が形成されており、誘導突起７は本体上部１３より突出している。
【００１９】  図３に示すように本体１の下部１４に住宅側排水管１６を接続し、上部１３側には排水ホース１５を接続している、上部側１３に接続する配管はホース、塩ビ管、金属製配管が考えられるが、どんな種類の配管にでも接続できる。排水ホース１５を誘導突起７にはめ込むと誘導突起７の上段にある安定ストッパー９は、はめ込む圧力でストッパー９が撓り、排水ホース１５に密着安定させ、ズレたり抜けにくくしているが、引抜くことは可能である。また下段のストッパー８は、排水ホース１５の侵入をストッパー８の位置で止めることで排水流路２の妨げにならないように設置されている。設置されている固定部１０はねじ込み式になっており、誘導突起７をねじ込め易いよう誘導突起７は本体１より外に長くなっている。
【００２０】  繋がれた排水ホース１５から流れる排水は、排水流路２を通過し住宅側排水管１６に流れる。また何かが詰まることや、長年使用して蓄積したヘドロなどは排水ホース１５を抜いて掃除やメンテナンスも容易に行うことができる。
【００２１】  図４に示すように本体１外部には、本体内部にある排水流路２による外部凹凸はない状態である。
【００２２】  図５、図６に示すように上部本体１７には接続するとき方向を間違えないよう上部本体１７には雌受入口２１ａが形成され下部本体１８が接合される内面に一カ所突起した凸部１９が形成されており、下部本体１８に形成されている雄挿入部２１ｂには一カ所、溝を形成した誘導溝２０があり、誘導溝２０に凸部１９が誘導され接続されるため、内部の排水流路２が形成される。
【００２３】  図７に示すように本体１に排水ホース１５を接続し、本体１を住宅側排水管１６を接続した状態である。
【００２４】  上記のように構成した排水接続管の本体１について作動を説明する。
前記排水ホース１５から流れてくる排水は本体１の排水流路２を通過し、下降流路３、上昇流路４、再下降流路５を経由し住宅側配水管１６へ流れる。
【００２５】  住宅側排水管１６より上がって来る悪臭を、本体１中央付近にある滞留部１１に溜まった滞留水の滞留水水面１２より中に上昇折返し部６があることで悪臭を遮断している。
【００２６】  以上のようにして排水接続管の本体１によって悪臭を止めることができる。
上記の効果に加えて、以下の効果を期待することができる。
【００２７】  本体１によって水の滞留部１１によってサイホン作用部分に滞留水が溜まることで容易に製造が可能となり、製造に関する製造部品点数を削減し、製造コストの低減につながる。
【発明の効果】
以上詳述したように、この発明はどんな配管も接続でき部品を減らし確実に悪臭を遮断することができる。
【符号の説明】  １…本体、２…排水流路、３…下降流路、４…上昇流路、５…再下降流路、６…上昇折返し部、６ａ…下降折返し部、７…誘導突起、８…ストッパー、９…安定ストッパー、１０…固定部、１１…滞留部、１２…滞留水水面、１３…上部、１４…下部、１５…排水ホース、１６…住宅側排水管、１７…上部本体、１８…下部本体、１９…凸部、２０…誘導溝、２１…接続部、２１ａ…雌受入口、２１ｂ…雄挿入部
【図１】
2014051872.tif 000003
【図２】
2014051872.tif 000004
【図３】
2014051872.tif 000005
【図４】
2014051872.tif 000006
【図５】
2014051872.tif 000007
【図６】
2014051872.tif 000008
【図７】
2014051872.tif 000009